(57)【要約】【課題】  換気動作を行っても、少なくとも室内機の側では結露しないようにする。【解決手段】  制御装置１５により、室温が外気温よりも低い場合の運転中は、室外温度センサ３５が計測した屋外空気の温度Ｔ２と室外湿度センサ３６が計測した屋外空気の湿度Ｈ２に基づいて屋外空気の露点温度Ｔｃを求め、次に露点温度Ｔｃと室内温度センサ１３が計測した室内空気の温度Ｔ１とを比較し、Ｔｃ＞Ｔ１+α（但し、α＞０）となるときには、給気しようとしても給気ファン３４が起動しないようにし、外気温が室温よりも低い場合の運転中は、室内温度センサ１３が計測した室内空気の温度Ｔ１と室内湿度センサ１４が計測した室内空気の湿度Ｈ１とに基づいて室内空気の露点温度Ｔｃを求め、その露点温度Ｔｃと室外温度センサが計測した屋外空気の温度Ｔ２とを比較し、Ｔｃ＞Ｔ２+β（但し、β＞０）となるときにも給気しようとしても、給気ファンは起動しないように構成した。【選択図】      図１
2005265401.tif 000002
【特許請求の範囲】
【請求項１】
室内に設置され、室内空気と熱交換する冷媒が流れる熱交換器を内部に備えた室内機と、室外に設置され、前記室内機と冷媒管を介して接続される室外機とを備え、少なくとも前記室内機が設置された室内空気の室外への排出、室外空気の室内への取り込みの何れかを可能とした換気手段を有する分離型の空気調和機において、室外及び室内の計測温度に基づいて前記換気手段の運転を制限する換気運転制限手段を設けたことを特徴とする空気調和機。
【請求項２】
前記室外空気の室内への取り込みによる給気の換気運転が、室外及び室内の計測温度に基づいて換気運転制限手段により制限されることを特徴とする請求項１記載の空気調和機。
【請求項３】
前記換気運転制限手段による換気手段の運転制限が、前記室内機に設けられた湿度センサが計測した湿度データを加味してなされることを特徴とする請求項１又は２に記載の空気調和機。
【請求項４】
室内に設置され、室内空気と熱交換する冷媒が流れる熱交換器を内部に備えた室内機と、室外に設置され、前記室内機と冷媒管を介して接続される室外機とを備え、少なくとも前記室内機が設置された室内空気の室外への排出、室外空気の室内への取り込みの何れかを可能とした換気手段を有する分離型の空気調和機において、前記換気手段の換気路に結露センサを設け、この結露センサが出力する信号に基づいて前記換気手段の運転を制限する換気運転制限手段を設けたことを特徴とする空気調和機。
【請求項５】
前記結露センサが、室外空気を室内に取り込む給気管の内側と、この給気管における室内側の外面の双方に設けられていることを特徴とする請求項４に記載の空気調和機。
【発明の詳細な説明】
【技術分野】
【０００１】
本発明は換気装置を備えた空気調和機に関する。
【背景技術】
【０００２】
この種の空気調和機としては、例えば図５に示したように、室内機１０に排気管２０と給気管２１とを設け、換気ユニット２２に設けた図示しない一方のファンの回転により、室内空気を排気管２０とダクト２３とを介して例えば屋外に排気すると同時に、図示しない他方のファンの回転により、屋外の空気を給気管２１とダクト２３とを介して室内に取り込んで、室内の換気を行うように構成した空気調和機が周知である（例えば、特許文献１参照。）。
【０００３】
また、図６に示したように、室内機１０に換気用送風機２５を設け、ファン２６の正逆転切替えにより、１本の換気管２７を介して、室内空気を屋外へ排気するとともに、屋外の空気を室内に取り込むことで、室内の換気を行うように構成した空気調和機も周知である（例えば、特許文献２参照。）。なお、図中２８と２９とは給排気口である。
【特許文献１】特許第２６２９６６５号公報
【特許文献２】特開２０００−１９３２６９号公報
【発明の開示】
【発明が解決しようとする課題】
【０００４】
上記の特許文献１、２などで提案された換気装置付きの空気調和機においては、室内を所望の温度に調節可能であると共に、室内を換気することが可能であるため、窓を定期的に開けるなどをして、室内の換気を行う必要が無いという利点がある。しかしながら、上記した従来構成の換気装置付き空気調和機においては、換気中に室内機側で結露し、その結露が原因でカビが発生して不衛生になる。また、それに起因して異臭が発生する場合もあるなどの欠点があった。
【０００５】
例えば、図５に示した従来の空気調和機では、室温が外気温より低い場合の冷房運転中において、給気管を介して高温多湿の外気を室内に取り込むときには、室内に取り込まれる外気が、室温と略一致する温度になっている給気管の部分を通過する際に露点温度以下にまで冷却されると、屋外空気に含まれる水分が給気管の内部で凝縮して結露し、給気管内でカビや異臭が発生することがあった。
【０００６】
また、外気温が室温より低い場合の暖房運転中において、給気管を介して温度の低い外気を室内に取り込むときには、内部を通る低温外気により給気管が冷却され、その給気管の外表面に触れる室内空気中の水分が凝縮して給気管の外表面で結露し、その結露水が床などの上に滴下することがあった。
【０００７】
そのため、換気動作を行っても、少なくとも室内機側では結露しないようにする必要があり、それが解決すべき課題となっていた。
【課題を解決するための手段】
【０００８】
本発明は上記従来技術の課題を解決するため、室内に設置され、室内空気と熱交換する冷媒が流れる熱交換器を内部に備えた室内機と、室外に設置され、前記室内機と冷媒管を介して接続される室外機とを備え、少なくとも前記室内機が設置された室内空気の室外への排出、室外空気の室内への取り込みの何れかを可能とした換気手段を有する分離型の空気調和機において、室外及び室内の計測温度に基づいて前記換気手段の運転を制限する換気運転制限手段を設けたことを主要な特徴とする。
【発明の効果】
【０００９】
本発明によれば、室外空気の取り込みによる給気の換気が行えるようにしつつ、室内機側での結露を防止でき、そのため、換気中の結露に起因して水滴が滴下したり、或いはカビが発生したりするなどの不都合が生じないようにできる。
【発明を実施するための最良の形態】
【００１０】
屋外空気（室外空気）の露点温度Ｔｃと室内空気の温度Ｔ１とを比較し、例えばＴｃ＞Ｔ１+α（但し、α＞０）となるときの、即ち、室温が外気温より低い場合の冷房運転中と、室内空気の露点温度Ｔｃと屋外空気の温度Ｔ２とを比較し、例えばＴｃ＞Ｔ２+β（但し、β＞０）となるときの、即ち、外気温が室温より低い場合の暖房運転中は、給気手段を起動して給気して室内を換気しようとしても、その給気手段が起動しないように、換気手段の運転を制限する換気運転制限手段を備えるように構成したものであり、以下に本発明の実施例を記載する。
【実施例１】
【００１１】
以下、本発明の第１の実施例を、図１〜図４に基づいて説明する。なお、理解を容易にするため、これらの図においても、前記図５、図６において説明した部分と同様の機能を有する部分には、同一の符号を付した。
【００１２】
第１の実施例の空気調和機１００は、図１に示したように、室内に設置される室内機１０と、屋外に設置される室外機３０とを備えて構成され、前記室内機１０に設けた室内側室内側熱交換器１１と、室外機３０に設けた圧縮機３１、室外側熱交換器３２及び四方弁にてなる流路切替弁３３とは、建屋の外壁１に開設した壁穴２を介して配管される冷媒管３により接続され、前記流路切替弁３３によって流路切替が可能な冷媒の循環路が形成されている。
【００１３】
また、冷媒管３と同様に、建屋の外壁１の壁穴２を介して配管された換気管４により、室内機１０に設けた換気用の排気ファン１２と、室外機３０に設けた換気用の給気ファン３４とが連結されている。さらに、室内機１０と室外機３０とは、壁穴２を介して配線された図示しない制御線により電気的に接続されている。ここで、前記換気用の給気ファン３４は、室外機３０の内部に設けなくても良く、前記壁穴２と室外機３０との中間位置であっても良い。また、換気用の給気ファン３４は、排気ファンと同様に、室内機１０の内部に設けることも可能である。
【００１４】
そして、上記構成の空気調和機１００においては、室外機３０の圧縮機３１で高温高圧に圧縮した冷媒蒸気が室外側熱交換器３２を経由して室内機１０の室内側熱交換器１１に至り、その後、圧縮機３１に戻るように流路切替弁３３をセットしたときには、室外側熱交換器３２で屋外の空気に放熱して凝縮した冷媒を、前記室内機１０の室内側熱交換器１１で蒸発させて室内の空気を冷却することができる。また、前記圧縮機３１で高温高圧に圧縮した冷媒蒸気を室内側熱交換器１１に直接送り、その後、室外側熱交換器３２を経由して圧縮機３１に戻るように流路切替弁３３をセットしたときには、圧縮機３１で高温高圧に圧縮した冷媒蒸気が室内側熱交換器１１で室内の空気と熱交換して凝縮し、主に冷媒の凝縮熱により室内空気を加熱することができるので、室内機１０が設置された室内の冷暖房などが可能である。
【００１５】
また、室内機１０の排気ファン１２を運転すると、室内の空気が排気ファン１２に吸込まれ、換気管４と室外機３０の給気ファン３４を経由して屋外（室外）に排出され、一方、給気ファン３４を運転すると、屋外（室外）の空気が給気ファン３４に吸込まれ、換気管４と室内機１０の排気ファン１２を経由して室内に取り込まれるように構成されている。
【００１６】
したがって、本発明の空気調和機１００においては、冷暖房運転が可能であるばかりでなく、排気ファン１２、給気ファン３４の何れか一方を運転することにより、室内の換気が行われる。すなわち、排気ファン１２を運転すると、室内の空気が屋外に排出され、大気圧より低圧になった室内に、新鮮な室外空気が漏れ込んで室内の換気がなされ、給気ファン３４を運転すると、新鮮な屋外の空気が室内に取り込まれ、大気圧より高圧になった室内の空気が室外に漏れ出て換気がなされる。
【００１７】
なお、室内機１０が気密性の高い室内に設置されているときには、その室内に対する空気の漏れ込み、漏れ出しは少なくなり、特に排気ファン１２を運転して室内空気を屋外に排気し、減圧された室内に室外空気を漏れ込まして室内の換気をする際には不利となるので、高気密住宅では、排気ファン１２と給気ファン３４を交互に運転するのが好ましいが、前記したように何れか一方のみを運転することによっても室内の換気は可能である。
【００１８】
また、室内機１０には室内空気の温度（室温）を計測するための室内温度センサ１３と、室内空気の湿度（室内湿度）を計測するための室内湿度センサ１４とが設置され、一方、室外機３０には屋外空気の温度（外気温）を計測するための室外温度センサ３５と、屋外空気の湿度（屋外湿度）を計測するための室外湿度センサ３６とが設置されている。
【００１９】
また、室内機１０には制御装置１５が設けられ、リモコン５などの操作により、室内機１０の室内温度センサ１３と室内湿度センサ１４とが計測した室内空気の温度Ｔ１と湿度Ｈ１とに基づく冷暖房および除湿運転と、排気ファン１２または給気ファン３４を起動しての換気運転とが可能に設けられている。
【００２０】
さらに、本発明の空気調和機１００においては、リモコン５などの操作により給気ファン３４の起動による給気の換気運転を指示しても、制御装置１５の図示しないメモリに格納した換気運転制御プログラムにより、特定条件時には給気ファン３４が起動せず、室内機１０側で結露することがないように構成されている。
【００２１】
例えば、室温よりも外気温度が高いときの冷房運転中において、前記給気ファン３４を運転して換気すると、室内に取り込まれる屋外空気が、室温と略一致する温度になっている換気管４の室内配管部分４Ａと排気ファン１２の部分を通過する際に、露点温度以下にまで冷却されるため、屋外空気中の水分としての水蒸気が、室内配管部分４Ａと排気ファン１２の内部で凝縮して結露することがある。
【００２２】
そのため、制御装置１５の図示しないメモリに格納した換気運転制御プログラムは、先ず室外温度センサ３５が計測した屋外空気の温度Ｔ２と、室外湿度センサ３６が計測した屋外空気の湿度Ｈ２とに基づいて、その空気の露点温度Ｔｃを演算算出し、次に、その露点温度Ｔｃと、室内温度センサ１３が計測した室内空気の温度Ｔ１とを比較するように構成してある。
【００２３】
なお、換気管４の室内配管部分４Ａと排気ファン１２の温度は、給気ファン３４を運転して室内に取り込む高温の屋外空気が触れると上昇する。そのため、室内に取り込まれている屋外空気が温度Ｔ１まで低下することはないので、給気ファン３４を運転して室内に取り込んでいる屋外空気の露点温度Ｔｃが、室内温度センサ１３が計測した室内空気の温度Ｔ１と一致しても、室内に取り込まれている屋外空気に含まれている水蒸気が換気管４の室内配管部分４Ａと排気ファン１２の部分で結露することはない。
【００２４】
また、屋外空気を室内に取り込む際の換気管４の室内配管部分４Ａと排気ファン１２の温度上昇幅及び温度上昇速度は、それらを構成している素材の比熱や熱伝導率などの物性、形状、並びに大きさなどにも依存するため、各種実験により定めた補正値αを考慮して、給気ファン３４を運転して取り込む屋外空気の露点温度Ｔｃと、室内温度センサ１３が計測した室内空気の温度Ｔ１とを比較するように換気運転制御プログラムを構成してある。
【００２５】
そして、室温が外気温よりも低い場合の冷房運転中において、例えば、Ｔｃ＞Ｔ１＋α（但し、α＞０）となるときには、リモコン５などを操作して給気ファン３４を起動しようとしても、起動しないように構成してある。したがって、室温が外気温よりも低い場合の運転中に、結露し易い高湿の屋外空気を室内に取り込んで行う換気がなされることはなく、これにより屋外空気に含まれる水蒸気が換気管４の室内配管部分４Ａと排気ファン１２の内側で凝縮して結露すると云う不都合が起こることはない。
【００２６】
一方、外気温度が室温よりも低い場合の暖房運転中において、給気ファン３４を運転し、換気管４と排気ファン１２を介して低温の屋外空気を室内に取り込むと、換気管４の室内配管部分４Ａと排気ファン１２の温度が下がる。そして、換気管４の室内配管部分４Ａと排気ファン１２の温度の低い部分に触れて室内空気の温度が露点温度以下に低下し、室内配管部分４Ａと排気ファン１２の外面部分に室内空気中の水蒸気が凝縮して結露することがある。
【００２７】
そのため、制御装置１５の図示しないメモリに格納した換気運転制御プログラムは、先ず室内温度センサ１３が計測した室内空気の温度Ｔ１と、室内湿度センサ１４が計測した室内空気の湿度Ｈ１とに基づいて室内空気の露点温度Ｔｃを演算算出し、その露点温度Ｔｃと、室外温度センサ３５が計測した屋外空気の温度Ｔ２とを比較するように構成してある。
【００２８】
なお、換気管４の室内配管部分４Ａと排気ファン１２の温度は、給気ファン３４を運転して室内に取り込む低温の屋外空気が触れて低下するが、その外面側は屋外空気よりは温度の高い室内空気に触れているため、換気管４の室内配管部分４Ａと排気ファン１２の外面側の温度が、屋外空気の温度Ｔ２まで低下することはない。したがって、室内空気の露点温度Ｔｃが、給気ファン３４を運転して室内に取り込んでいる屋外空気の温度Ｔ２と一致しても、換気管４の室内配管部分４Ａと排気ファン１２の外面側で室内空気に含まれる水分としての水蒸気が凝縮して結露することはない。
【００２９】
そして、屋外空気を室内に取り込む際の換気管４の室内配管部分４Ａと排気ファン１２の温度低下幅及び温度低下速度も、それらを構成している素材の比熱や熱伝導率などの物性、形状、並びに大きさなどにも依存するので、各種実験に基づいて定めた補正値βを考慮して、室内空気の露点温度Ｔｃと、室外温度センサ３５が計測した屋外空気の温度Ｔ２とを比較するように構成してある。
【００３０】
すなわち、外気温が室温よりも低い場合の冷房運転中において、例えば、Ｔｃ＞Ｔ２+β（但し、β＞０）となるときには、リモコン５などを操作して給気ファン３４を起動しようとしても、起動しないように構成してある。したがって、室内空気の露点温度が高くなっているような外気温が室温よりも低い場合の運転中において、極端に温度の低い屋外空気を室内に取り込んで行う換気がなされることはなく、これにより室内空気に含まれる水蒸気が、換気管４の室内配管部分４Ａと排気ファン１２の外側で凝縮して結露すると云う不都合が起こることはない。
【実施例２】
【００３１】
本発明の第２の実施例を図２に基づいて説明する。第２の実施例における空気調和機１００の室内機１０には、空気流路切替用のダンパー１６が設けられ、室内機１０の室内温度センサ１３と室内湿度センサ１４とで室内空気の温度と湿度だけでなく、給気ファン３４を起動し、換気管４と排気ファン１２とを介して取り込んだ屋外空気の温度と湿度とが計測可能に設けられている。そのため、室外機３０には温度センサと湿度センサは設けられていない。
【００３２】
すなわち、例えばダンパー１６を図２に実線で示す位置に切替たときには、室内側熱交換器１１に向かって流れる室内空気が室内温度センサ１３と室内湿度センサ１４とに向かって流れ、室内温度センサ１３と室内湿度センサ１４とで室内空気の温度Ｔ１と湿度Ｈ１とが計測される。ダンパー１６を図２に破線で示す位置に切替え、且つ、給気ファン３４を運転し換気管４と排気ファン１２とを介して屋外から空気を取り込むときには、その取り込まれた屋外空気が室内温度センサ１３と室内湿度センサ１４とに向かって流れ、室内温度センサ１３と室内湿度センサ１４とで屋外空気の温度Ｔ２と湿度Ｈ２とが計測されるように設けられている。
【００３３】
そして、制御装置１５の図示しないメモリに格納した換気運転制御プログラムが、室内温度センサ１３が計測した室内空気の温度Ｔ１、屋外空気の温度Ｔ２、室内湿度センサ１４が計測した室内空気の湿度Ｈ１、屋外空気の湿度Ｈ２を用いて、室温が外気温より低い場合の冷房運転時には、屋外空気の露点温度Ｔｃ、外気温が室温より低い場合の暖房運転時には、室内空気の露点温度Ｔｃをそれぞれ演算し、この室温が外気温より低い場合の運転時中に、例えば、Ｔｃ＞Ｔ１+α（但し、α＞０）となったときには、給気ファン３４の運転を停止し、外気温が室温より低い場合の運転中に、例えば、Ｔｃ＞Ｔ２+β（但し、β＞０）となったときには、給気ファン３４の運転を停止するように設けられている。
【００３４】
したがって、この第２の実施例の空気調和機１００においても、室温が外気温よりも低い場合の運転中に、結露し易い高湿の屋外空気を室内に取り込んで行う換気がなされることはないので、換気管４の室内配管部分４Ａと排気ファン１２の内側で凝縮して結露すると云う不都合が起こることはないし、室内空気の露点温度が高くなっているような外気温が室温よりも低い場合の運転中に、極端に温度の低い屋外空気を室内に取り込んで行う換気がなされることもないので、換気管４の室内配管部分４Ａと排気ファン１２の外側で凝縮して結露すると云う不都合が起こることもない。
【実施例３】
【００３５】
本発明の第３の実施例を図３に基づいて説明する。第３の実施例における空気調和機１００の室外機３０には、安価な室外温度センサ３５は設けられているが、高価な湿度センサは設けられていない。
【００３６】
そして、屋外空気の湿度は、室外温度センサ３５が計測した温度Ｔ２に基づいて推定し、その推定湿度から屋外空気の露点温度Ｔｃを制御装置１５の図示しないメモリに格納した換気運転制御プログラムで演算し、その露点温度Ｔｃと室内温度センサ１３が計測した室内空気の温度Ｔ１とに基づいて、室温が外気温よりも低い場合の冷房運転時に、屋外から室内に取り込む空気が換気管４の室内配管部分４Ａと排気ファン１２の内部で凝縮して結露することがないように構成されている。
【００３７】
すなわち、室外温度センサ３５が計測した屋外空気の温度Ｔ２が、例えば２８℃未満のときは湿度８０％、２８℃以上のときは湿度７０％と想定して、制御装置１５の図示しないメモリに記憶しておき、制御装置１５の図示しないメモリに格納した換気運転制御プログラムにより、室外温度センサ３５が計測した屋外空気の温度Ｔ２に基づいてその屋外空気の露点温度Ｔｃを決定し、その露点温度Ｔｃと室内温度センサ１３が計測した室内空気の温度Ｔ１とに基づいて、室温が外気温よりも低い場合の運転時に、屋外から室内に取り込む空気が換気管４の室内配管部分４Ａと排気ファン１２の内部で凝縮して結露することがないように、例えば、Ｔｃ＞Ｔ１+α（但し、α＞０）となったときには給気ファン３４の運転を停止して構成されている。
【００３８】
したがって、この第３の実施例の空気調和機１００においても、室温が外気温よりも低い場合の運転中に、結露し易い高湿の屋外空気を室内に取り込んで行う換気がなされることはないので、換気管４の室内配管部分４Ａと排気ファン１２の内側で、屋外空気に含まれる水分としての水蒸気が凝縮して結露すると云う不都合が起こることはない。
【００３９】
また、屋外空気の温度と湿度との関係をテーブルにして制御装置１５の図示しないメモリに記憶しておき、そのテーブルと室外温度センサ３５が計測した屋外空気の温度Ｔ２からその屋外空気の湿度を推定する構成とすることも可能である。また、制御装置１５には時計回路を設け、室外温度センサ３５が計測した屋外空気の温度Ｔ２に季節と時刻を加味して屋外空気の湿度を推定する構成としても良い。
【００４０】
なお、この第３の実施例の空気調和機１００においては、外気温が室温よりも低い場合の暖房運転時に、前記第１の実施例の空気調和機１００などと同様に、制御装置１５の図示しないメモリに格納した換気運転制御プログラムが、室内温度センサ１３が計測した室内空気の温度Ｔ１及び室内湿度センサ１４が計測した室内空気の湿度Ｈ１に基づいて、室内空気の露点温度Ｔｃを演算して求め、その露点温度Ｔｃと室外温度センサ３５が計測した屋外空気の温度Ｔ２とを比較し、例えば、Ｔｃ＞Ｔ２+β（但し、β＞０）となったときには給気ファン３４の運転を停止して、換気管４の室内配管部分４Ａと排気ファン１２の外側で室内空気が凝縮して結露すると云う不都合が起こらないようにも構成されている。
【実施例４】
【００４１】
本発明の第４の実施例を、図４に基づいて説明する。この第４の実施例における空気調和機１００においては、換気管４の室内配管部分４Ａの開口端側内側と、換気管４の室内配管部分４Ａの外側とに、それぞれ結露センサ６Ａ、６Ｂが設けられている。
【００４２】
そして、室温が外気温よりも低い場合の冷房運転中に、給気ファン３４を運転して、温度の高い屋外空気を換気管４と排気ファン１２とを介して室内に取り込んでいるときに、換気管４の内部に設けた結露センサ６Ａの表面で結露があり、結露センサ６Ａが所定の信号を出力したときには、給気ファン３４の運転を直ちに停止し、また、外気温が室温よりも低い場合の暖房運転中に、給気ファン３４を運転して、温度の低い屋外空気を換気管４と排気ファン１２とを介して室内に取り込んでいるときに、排気管４の外部に設けた結露センサ６Ｂの表面で結露があり、結露センサ６Ｂが所定の信号を出力したときにも、給気ファン３４の運転を直ちに停止するように、制御装置１５の図示しないメモリに格納した換気運転制御プログラムが構成されている。
【００４３】
したがって、この第４の実施例の空気調和機１００においては、換気運転中に結露があると、換気運転は直ちに停止されるので、結露水は結露部のその後の温度上昇により蒸発し、結露は解消される。
【００４４】
なお、制御装置１５の図示しないメモリに格納する換気運転制御プログラムとしては、冷房運転中などの前記換気時に結露センサ６Ａが所定の信号を出力して給気ファン３４の運転を停止すると、その後の所定時間、例えば、１〜５分間程度は、排気ファン１２を運転するように構成することも可能である。
【００４５】
制御装置１５の換気運転制御プログラムを上記のように構成すると、結露が瞬間的に生じた換気管４と排気ファン１２の内部に、温度が露点温度以上である室内空気を強制的に送ることができるので、結露水のより速やかな蒸発が可能となる。
【００４６】
なお、本発明は上記実施例に限定されるものではないので、特許請求の範囲に記載の趣旨から逸脱しない範囲で各種の変形実施が可能である。
【００４７】
例えば、給気ファン３４は、換気管４の配管距離を短縮するために、室外機３０にではなく、壁穴２に近い外壁１の外壁面に設置するように構成しても良い。このように、給気ファン３４を外壁１の外壁面に設置するときには、室外温度センサ３５と室外湿度センサ３６は、給気ファン３４に近接して設置しても良いし、室外機３０に設置することも可能である。
【００４８】
また、排気ファン１２と給気ファン３４に変えて、正転／逆転の切替が可能な一つのファンを換気管４に設けるようにしても良い。
【００４９】
さらに、特許文献１に記載されているように、換気管４に変えて、屋外の空気を室内に取り込むための給気管と、室内の空気を屋外などの室外に排出するための排気管とを設け、それぞれに専用のファンを設けるように構成することも可能である。
【００５０】
また、制御装置１５の図示しないメモリに格納する換気運転制御プログラムとしては、室内機１の側で結露の恐れがあるとき、あるいは結露センサにより結露が確認されたときに、給気ファン３４の運転を停止するのではなく、給気ファン３４の回転速度を定格速度以下、例えば定格速度の３０％（ダクトの熱伝導率、比熱、太さ、長さ、形状などにより変更し得る。）に抑えて、少量の換気を継続するように構成することも可能である。
【００５１】
このような、制御を行うと、結露する量が減少するので、換気を停止したときに結露水の蒸発が早く完了するので、カビや異臭の発生を抑制する効果が期待できる。
【図面の簡単な説明】
【００５２】
【図１】第１の実施例における空気調和機の説明図である。
【図２】第２の実施例における空気調和機の説明図である。
【図３】第３の実施例における空気調和機の説明図である。
【図４】第４の実施例における空気調和機の説明図である。
【図５】従来技術の説明図である。
【図６】他の従来技術の説明図である。
【符号の説明】
【００５３】
１    外壁
２    壁穴
３    冷媒管
４    換気管
４Ａ  室内配管部分
５    リモコン
６Ａ、６Ｂ  結露センサ
１０    室内機
１１    室内側熱交換器（熱交換器）
１２    排気ファン
１３    室内温度センサ（温度センサ）
１４    室内湿度センサ（湿度センサ）
１５    制御装置
２０    排気管
２１    給気管
２２    換気ユニット
２３    ダクト
２５    換気用送風機
２６    ファン
２７    換気管
２８、２９  給排気口
３０    室外機
３１    圧縮機
３２    室外側熱交換器
３３    流路切替弁
３４    給気ファン
３５    室外温度センサ（温度センサ）
３６    室外湿度センサ（湿度センサ）
【図１】
2005265401.tif 000003
【図２】
2005265401.tif 000004
【図３】
2005265401.tif 000005
【図４】
2005265401.tif 000006
【図５】
2005265401.tif 000007
【図６】
2005265401.tif 000008